(57)【特許請求の範囲】
【請求項１】
直方体状の水槽（Ａ）と、その水槽（Ａ）内の水（Ｗ）に浮かび且つ上部が水上に露出した浮島本体（１）と、その浮島本体（１）の昇降を案内すべく該浮島本体（１）に上下摺動可能に嵌挿される案内バー（Ｂ）と、その案内バー（Ｂ）を水槽（Ａ）に支持させる支持手段（Ｓ）とを備え、前記浮島本体（１）に前記水生動物（Ｋ）が上陸できるようにした浮島付き水槽装置において、
前記浮島本体（１）の一側面を、水槽（Ａ）の一側壁（Ａｓ）に近接、対向する平坦な鉛直面（１ｖ）に形成すると共に、その鉛直面（１ｖ）に開口した上下開放の切欠き部（１ａ）を前記浮島本体（１）に設けて、その切欠き部（１ａ）により、前記水生動物（Ｋ）が浮游可能な湾部（Ｃ）を形成し、
前記切欠き部（１ａ）の内周面は、前記水生動物（Ｋ）が前記湾部（Ｃ）から浮島本体（１）に上陸できるように前記湾部（Ｃ）の中心部に向かって徐々に下る斜面（１ｓｉ）とされることを特徴とする、浮島付き水槽装置。
【請求項２】
前記切欠き部（１ａ）の、前記鉛直面（１ｖ）への開口部（Ｏ）は、前記浮島本体（１）に形成されて該開口部（Ｏ）の少なくとも一側より他側に向けて張り出した突壁部（１ｔ，１ｔ′）により絞られていることを特徴とする、請求項１に記載の浮島付き水槽装置。
【請求項３】
前記案内バー（Ｂ）は上下方向に延びていて、その上端部又は下端部だけが水槽（Ａ）に片持ち状に支持されることを特徴とする、請求項１又は２に記載の浮島付き水槽装置。
【発明の詳細な説明】
【技術分野】
【０００１】
本発明は、陸上でも生息可能な水生動物、例えば亀やイモリ等の動物を飼育するための浮島付き水槽装置、特に直方体状の水槽と、その水槽内の水に浮かび且つ上部が水上に露出した浮島本体と、その浮島本体の昇降を案内すべく浮島本体に上下摺動可能に嵌挿される案内バーと、その案内バーを水槽に支持させる支持手段とを備え、その浮島本体に水生動物が上陸できるようにした水槽装置に関する。
【背景技術】
【０００２】
従来、上記浮島付き水槽装置としては、例えば下記の特許文献１に示すものが知られている。
【先行技術文献】
【特許文献】
【０００３】
【特許文献１】特開平９−１７２９０４号公報
【発明の概要】
【発明が解決しようとする課題】
【０００４】
水槽内において亀等の水生動物は、周囲が囲まれた閉鎖水域の方を開放水域よりも好むため、その亀等が閉鎖水域に多く集まり易く、また閉鎖水域の岸から安心して浮島に上陸する習性があることを本発明者は究明した。
【０００５】
ところが従来の浮島付き水槽装置では、浮島の周囲が全周に亘り開放されているため、亀等を浮島の周辺水域の一部だけに局所的に集めたり、上陸させたりすることができず、亀等が泳いだり、上陸したりする様子を一定の場所で集中的に観察することができなかった。
【０００６】
そこで浮島本体をドーナツ状に形成して、その中心部の孔（池）を、亀等が集まり易く上陸し易い閉鎖水域とすることが考えられるが、この構造では、亀等が成長した場合に上記閉鎖水域（孔）の周壁に嵌まって脱出できなくなってしまう等の不都合がある。
【０００７】
本発明は、上記に鑑み提案されたものであり、従来の上記問題を簡単な構造で一挙に解決できるようにした浮島付き水槽装置を提供することを目的とする。
【課題を解決するための手段】
【０００８】
上記目的を達成するために、請求項１の発明は、直方体状の水槽と、その水槽内の水に浮かび且つ上部が水上に露出した浮島本体と、その浮島本体の昇降を案内すべく該浮島本体に上下摺動可能に嵌挿される案内バーと、その案内バーを水槽に支持させる支持手段とを備え、前記浮島本体に前記水生動物が上陸できるようにした浮島付き水槽装置において、前記浮島本体の一側面を、水槽の一側壁に近接、対向する平坦な鉛直面に形成すると共に、その鉛直面に開口した上下開放の切欠き部を前記浮島本体に設けて、その切欠き部により、前記水生動物が浮游可能な湾部を形成し、前記切欠き部の内周面が、前記水生動物が前記湾部から浮島本体に上陸できるように前記湾部の中心部に向かって徐々に下る斜面とされることを特徴とする。
【０００９】
また請求項２の発明は、請求項１の前記特徴に加えて、前記切欠き部の、前記鉛直面への開口部が、前記浮島本体に形成されて該開口部の少なくとも一側より他側に向けて張り出した突壁部により絞られていることを特徴とする。
【００１０】
また請求項３の発明は、請求項１又は２の前記特徴に加えて、前記案内バーが上下方向に延びていて、その上端部又は下端部だけが水槽に片持ち状に支持されることを特徴とする。
【発明の効果】
【００１１】
本発明によれば、浮島本体の一側面を平坦な鉛直面とし、その鉛直面に開口する切欠き部により浮島本体に形成した湾部と、これに対向する水槽一側壁との間に、広い閉鎖水域を形成できるようにしたので、その閉鎖水域に亀等が集まり易くなり且つそこから浮島本体に上陸し易くなり、従ってその亀等が水面を浮游したり湾部から上陸したりする様子を集中的に観察できる。また特に上記湾部の開口部が水槽観察者から遠い側を向いた配置である場合には、上記閉鎖水域を水槽観察者から極力離間して配置できるため、その閉鎖水域に亀等が一層集まり易くなり且つそこから浮島本体に上陸し易くすることができる。しかも、その閉鎖水域は、浮島本体に切欠き部を設けることで形成されるため、成長した亀等が閉鎖水域の周壁に嵌まって脱出できなくなる不都合を効果的に回避できる。
【００１２】
また特に請求項２の発明によれば、前記切欠き部により形成された湾部の開口部が、浮島本体に形成されて該開口部の少なくとも一側より他側に向けて張り出した突壁部により絞られているので、その突壁部が無い（即ち湾部の入口が絞られていない）構造と比べて湾部から亀等が上陸する岸の領域を増やすことができる。また亀等は、水槽観察者から極力遠い位置を好む習性があることから、特に上記湾部の開口部が水槽観察者から遠い側を向いた配置である場合には、その湾部において水槽観察者から極力遠い岸に上陸する頻度が高くなり、その上陸の様子を、上記突壁部の正面側に存する観察者から容易に観察することができる。
【００１３】
また特に請求項３の発明によれば、浮島本体の昇降を案内する案内バーは、その上端部又は下端部だけが水槽に片持ち状に支持されるので、浮島本体と水槽側壁との隙間に亀等が万一挟まれそうになった場合でも、該案内バーの揺動或いは変形により、浮島本体の水槽側壁からの多少の離間移動が許容されて、その隙間から亀等を容易に脱出させることができる。
【図面の簡単な説明】
【００１４】
【図１】本発明の第１実施例に係る水槽装置の要部を示す一部破断斜視図
【図２】図１の２部の拡大斜視図
【図３】前記水槽装置の要部平面図（図２の３矢視図）
【図４】図３の４−４線で切断した展開断面図
【図５】前記水槽装置における浮島部分の分解斜視図
【図６】浮島本体と水槽側壁との間に亀が足を挟まれそうになった場合の様子を示す図４対応図
【図７】本発明の第２実施例を示す図３対応図
【発明を実施するための形態】
【００１５】
以下、本発明の実施の形態について、添付の図面を参照しながら説明する。
【００１６】
先ず、図１〜図６を参照して、本発明の第１実施例を説明する。
【００１７】
本発明に係る浮島付き水槽装置は、水槽Ａと、その水槽Ａ内の水Ｗに浮かび且つ上部が水上に露出した浮島本体１と、その浮島本体１の昇降を案内すべく浮島本体１に上下摺動可能に嵌挿される案内バーＢと、その案内バーＢを水槽Ａに支持させる支持手段Ｓとを備え、浮島本体１に水生動物としての亀Ｋが上陸できるようになっている。
【００１８】
前記水槽Ａは、従来周知の観賞魚用水槽と基本的に同じ構造のものであって、上面を開放した直方体状に形成されており、その前後左右の側壁は、ガラス又はアクリルの透明板より構成される。尚、図１において、符号２は、室内壁であり、これに、水槽Ａの背面、即ち水槽観察者から見て奥側の側壁Ａｓが対向しているが、本発明の水槽Ａは、必ずしも室内壁２に近接、対向した状態で設置する必要はなく、即ち水槽Ａをその四方から観察できるように設置してもよい。
【００１９】
浮島本体１は、合成樹脂材より中空の成形体又は発泡樹脂を内部に充填した成形体として構成されると共に、水に浮く程度の密度に設定されており、その浮島本体１が水に浮いた状態で水上に露出する部分が、亀Ｋの上陸し且つ休息可能な島となる。
【００２０】
前記案内バーＢは、図示例では左右一対有って、上下方向に各々延びており、その各々の上端部が水槽Ａの一側壁の上部に支持手段Ｓにより片持ち状に支持される。また浮島本体１の左右両端部（特に後述する鉛直面１ｖ寄りの端部）には、案内バーＢを上下摺動可能に下方から挿通させる挿通孔１ｈがそれぞれ形成されており、その挿通孔１ｈと案内バーＢとの間には多少の遊び間隙が設定される。
【００２１】
案内バーＢを水槽Ａに支持させる前記支持手段Ｓは、水槽Ａの一側壁の任意の位置に内面が吸着可能な吸盤本体Ｓａと、その吸盤本体Ｓａの外面に一体に突設された取付突部Ｓｂとで、その全体がゴム等の弾性材より構成される。そして、その取付突部Ｓｂには、各案内バーＢの上端部外周に形成された環状溝部Ｂｂが着脱可能に嵌合、係止される。
【００２２】
また一対の案内バーＢ，Ｂの、支持手段Ｓに近い中間部には中間段部Ｂｍが形成され、その中間段部Ｂｍ，Ｂｍの相互間が補強用の連結バーＢｊで一体に結合される。
【００２３】
また浮島本体１は、平面視で概ね矩形状をなし、これの外周部は、その一辺部（図示例では水槽観察者から見て奥側の一辺部）を除いて、亀Ｋが浮島本体１の周囲水面から浮島本体１に上陸できるように周囲水面に向かって徐々に下るスロープ状の斜面１ｓｏとされる。尚、この斜面１ｓｏには、亀Ｋが足の爪を引っ掛け易くして容易に上陸可能とするための微小且つ多数の段差又は凹凸が付されており、これらの段差又は凹凸で天然の岩肌のような印象を観察者に与えることができる。
【００２４】
また浮島本体１は、これの一辺部（図示例では水槽観察者から見て奥側の一辺部）側面が、水槽Ａの側壁に近接、対向する平坦な鉛直面１ｖに形成される。そして、浮島本体１には、その鉛直面１ｖに開口する上下開放の切欠き部１ａが設けられており、その切欠き部１ａの内周面により、亀Ｋが浮游可能な湾部Ｃが浮島本体１に形成される。
【００２５】
前記切欠き部１ａの内周面は、亀Ｋが前記湾部Ｃから浮島本体１に上陸できるように湾部Ｃの中心部に向かって徐々に下るスロープ状の斜面１ｓｉとされる。尚、この斜面１ｓｉにも、亀Ｋが足の爪を引っ掛け易くして容易に上陸可能とするための微小且つ多数の段差又は凹凸が付されている。
【００２６】
また前記切欠き部１ａの、前記鉛直面１ｖへの開口部Ｏ（即ち湾部Ｃの開口部）は、浮島本体１に形成されて該開口部Ｏの両側より互いに接近する側に向けて張り出した一対の突壁部１ｔ，１ｔ′により絞られている。
【００２７】
次に第１実施例の作用を説明する。水槽Ａ内への浮島本体１の設置に際して、図示例では、浮島本体１の一辺部側面の鉛直面１ｖを水槽Ａの、水槽観察者から見て奥側の側壁Ａｓに近接、対向させるように配置する一方で、その奥側の側壁Ａｓの上部に支持手段Ｓを介して案内バーＢの上端部を片持ち状に取付け、支持させ、その案内バーＢに浮島本体１の挿通孔１ｈを挿通させる。これにより、浮島本体１を水槽Ａの奥側の側壁Ａｓに寄せた配置で、その側壁Ａｓに案内バーＢを介して昇降可能に案内、支持させることができ、浮島本体１が水槽Ａ内の水面を妄りに浮游しないように位置決めされる。
【００２８】
このような浮島本体１の設置状態において、浮島本体１に設けた切欠き部１ａにより形成した湾部Ｃと、水槽Ａの奥側の側壁Ａｓとの間には、広い閉鎖水域が、水槽Ａの正面側に位置する水槽観察者から極力離して形成できる。このため、その閉鎖水域に亀Ｋが安心して集まり易くなり且つそこから浮島本体１に上陸し易くなるので、その湾部Ｃに集まった亀Ｋが水面を浮游したり湾部Ｃから浮島本体１に上陸したりする様子を集中的且つ容易に観察することができる。しかもその閉鎖水域は、湾部Ｃの入口に相当する部分が開口しているため、成長した亀Ｋが閉鎖水域の周壁に嵌まって脱出できなくなったりする不都合を効果的に回避できる。
【００２９】
また特に本実施例では、浮島本体１における前記切欠き部１ａ（即ち湾部Ｃ）の開口部Ｏが、浮島本体１に形成されて該開口部Ｏの両側より互いに接近する側に向けて張り出した突壁部１ｔ，１ｔ′により絞られている。このため、その突壁部１ｔ，１ｔ′が無い（即ち湾部Ｃの入口が絞られていない）構造、即ち後述する第２実施例の構造と比べて湾部Ｃから亀Ｋが上陸する岸の領域を増やすことができる。その上、亀Ｋは、上記湾部Ｃにおいて水槽正面側の観察者から極力遠い岸で上陸する習性があるので、その観察者から遠い上記突壁部１ｔ，１ｔ′の岸の斜面１ｓｉに亀Ｋが上陸し易くなり、その上陸の様子を、該突壁部１ｔ，１ｔ′の正面側に存する観察者から容易且つ的確に観察することができる。
【００３０】
さらに浮島本体１の昇降を案内する案内バーＢは、その上端部だけが支持手段Ｓを介して水槽Ａに片持ち状に支持されている。従って、図６に示すように、浮島本体１と水槽Ａの側壁Ａｓとの狭い隙間に亀Ｋの体の一部（例えば足等）が万一挟まれた場合でも、支持手段Ｓ（特に取付突部Ｓｂ）の弾性変形に基づき案内バーＢがその上端部を支点として揺動することで、浮島本体１の、水槽側壁Ａｓからの多少の離間移動（即ち前記隙間が多少拡がること）を許容して、亀Ｋを前記隙間から容易に脱出させることができる。
【００３１】
尚、本実施例では、案内バーＢを剛体で構成しているが、本発明では、案内バーＢを弾性材で構成してもよく、その場合には、案内バーＢ自体の弾性変形により浮島本体１の、水槽側壁Ａｓからの多少の離間移動を許容して、亀Ｋを前記隙間から脱出させることも可能である。
【００３２】
また図７には、本発明の第２実施例が示される。即ち、第１実施例では、浮島本体１における前記切欠き部１ａの、前記鉛直面１ｖへの開口部Ｏを、該開口部Ｏの両側より互いに接近する側に向けて張出す一対の突壁部１ｔ，１ｔ′で絞るようにしたものを示したが、本第２実施例では、上記突壁部１ｔ，１ｔ′を省略して、開口部Ｏを絞らないようにしている。その他の構成は、第１実施例と同様であるので、各構成要素には、第１実施例の対応するものの参照符号を付すに止め、これ以上の説明を省略する。
【００３３】
而して、この第２実施例においては、第１実施例において前記開口部Ｏを突壁部１ｔ，１ｔ′で絞るようにした点の効果を除いて、第１実施例と基本的に同様の効果を達成可能である。
【００３４】
以上、本発明の実施の形態について説明したが、本発明は上記実施の形態に限定されるものではなく、特許請求の範囲に記載された本発明を逸脱することなく種々の設計変更を行うことが可能である。
【００３５】
例えば、前記実施例では、水槽Ａの側壁Ａｓに対し案内バーＢをその上部だけで片持ち支持させるようにしたものを示したが、本発明では、案内バーＢをその下部だけで片持ち支持させるようにしてもよく、また案内バーＢの上，下部とも、即ち両持ちで支持させるようにしてもよい。
【００３６】
また前記実施例では、案内バーＢ，Ｂ相互を連結バーＢｊで結合したものを示したが、本発明では、連結バーＢｊを省略して案内バーＢ，Ｂ相互を独立配置してもよい。
【００３７】
また前記第１実施例では、浮島本体１における前記切欠き部１ａの、前記鉛直面１ｖへの開口部Ｏを絞るために、該開口部Ｏの両側より互いに接近する側に向けて一対の突壁部１ｔ，１ｔ′を浮島本体１に形成するようにしたものを示したが、本発明（請求項２）では、該開口部Ｏの少なくとも一側より他側に向けて張り出した１つの突壁部１ｔ又は１ｔ′だけで該開口部Ｏを絞るようにしてもよい。
【００３８】
また前記実施例では、水槽Ａ内への浮島本体１の設置に際して、浮島本体１の鉛直面１ｖを水槽Ａの、水槽観察者から見て奥側の側壁Ａｓに近接、対向させるように配置したが、本発明では、その浮島本体１の鉛直面１ｖを水槽Ａの他の側壁、例えば左右一方の側壁や正面側の側壁に近接、対向させるように配置してもよい。
【符号の説明】
【００３９】
Ａ・・・・水槽
Ａｓ・・・奥側の側壁
Ｂ・・・・案内バー
Ｃ・・・・湾部
Ｋ・・・・水生動物としての亀
Ｏ・・・・開口部
Ｓ・・・・支持手段
Ｗ・・・・水
１・・・・浮島本体
１ａ・・・切欠き部
１ｓｉ・・斜面
１ｔ，１ｔ′・・突壁部
１ｖ・・・鉛直面
【図１】
0005461366.tif 000002
【図２】
0005461366.tif 000003
【図３】
0005461366.tif 000004
【図４】
0005461366.tif 000005
【図５】
0005461366.tif 000006
【図６】
0005461366.tif 000007
【図７】
0005461366.tif 000008